(57)【特許請求の範囲】
【請求項１】
底板上の前面側略中央に載置され、圧縮機カバーで覆われた圧縮機と、同圧縮機の背面側と両側とにわたって設けられ、略凹状に折曲形成された熱交換器と、同熱交換器の背面部に対向して設けられた送風機と、前記熱交換器の両側に取り付けられた側板の上端に固定された板金製の保持板上に保持され、電気部品を収容して上部が天井補強板で覆われた電装部と、同電装部の一側の前記保持板に板金製の操作弁取付具に固定されて取り付けられ、室内機側から導入された接続配管を接続するフレアナットを備えて前後に離間した複数の操作弁と、同操作弁および前記電装部の上部をカバーする合成樹脂製のトップカバーと、前記底板に被着され、フロントカバーおよびリヤカバーで構成される合成樹脂製の外胴とからなり、
前記操作弁取付具を前記保持板に取り付ける取付部が、これら操作弁取付具と保持板とに設けられた位置決め手段および取付手段からなり、前記操作弁取付具の一側に複数のねじ孔を備えた固定用フランジを垂下し、同固定用フランジのねじ孔に対応して、前記フロントカバーおよびリヤカバーに固定用挿通孔を設け、前記位置決め手段により位置決めした前記操作弁取付具を前記取付手段により前記保持板に取り付けるとともに、前記固定用挿通孔を挿通したねじにより、前記ねじ孔に螺着して前記操作弁取付具の一側を前記フロントカバーおよびリヤカバーで固定するようにしたことを特徴とする空気調和機の室外機。
【請求項２】
前記位置決め手段が、前記保持板に設けられた複数の係合部と、同係合部に対応する前記操作弁取付具の周縁部とで構成されてなり、同操作弁取付具の周縁部を前記係合部に係合して前記操作弁取付具を前記保持板に位置決めするようにしたことを特徴とする請求項１に記載の空気調和機の室外機。
【請求項３】
前記係合部が、切り起こしにより前記保持板と一体成形された略Ｌ字状断面形状の切起し片からなることを特徴とする請求項１または請求項２に記載の空気調和機の室外機。
【請求項４】
前記切起し片を、前記操作弁取付具の後端部に対応して、前方および両側を解放して形成したことを特徴とする請求項１乃至請求項３に記載の空気調和機の室外機。
【請求項５】
前記切起し片を、前方を解放して略三角状の平面形状に形成したことを特徴とする請求項１乃至請求項３に記載の空気調和機の室外機。
【請求項６】
前記切起し片を、前方および内方を解放して略矩形状の平面形状に形成したことを特徴とする請求項１乃至請求項３に記載の空気調和機の室外機。
【請求項７】
前記取付手段が、前記保持板に設けられた複数のねじ孔と、同ねじ孔に対応して前記操作弁取付具に設けられた挿通孔とからなり、同挿通孔を挿通したねじを前記ねじ孔に螺着して、前記位置決め手段により位置決めされた前記操作弁取付具を前記保持板に取り付けるようにしたことを特徴とする請求項１または請求項２に記載の空気調和機の室外機。
【請求項８】
前記ねじ孔に、下方に突出する突部を設けたことを特徴とする請求項７に記載の空気調和機の室外機。
【請求項９】
前記操作弁取付具に、前後に離間した前記操作弁のフレアナットに対向して、上部および一側を解放した略凹状断面でなる複数の凹部を設けたことを特徴とする請求項１、請求項２、請求項４または請求項７に記載の空気調和機の室外機。
【請求項１０】
前記凹部を、絞り加工により前記操作弁取付具と一体成形したことを特徴とする請求項９に記載の空気調和機の室外機。
【請求項１１】
前記凹部の底面を、前記熱交換器の上端部よりも低く形成したことを特徴とする請求項１、請求項９または請求項１０に記載の空気調和機の室外機。
【請求項１２】
前記凹部は、後部に比して前部の底面を低く形成したことを特徴とする請求項９乃至請求項１１に記載の空気調和機の室外機。
【請求項１３】
前記凹部の底面に、透孔を設けたことを特徴とする請求項９乃至請求項１２に記載の空気調和機の室外機。
【請求項１４】
前記操作弁取付具の周縁部に、前記切起し片によって前記保持板に形成される切起し穴および、または前記凹部に連なる溝部を設けたことを特徴とする請求項１乃至請求項７、または請求項９乃至請求項１３に記載の空気調和機の室外機。
【請求項１５】
前記溝部を、絞り加工により前記操作弁取付具と一体的に形成したことを特徴とする請求項１４に記載の空気調和機の室外機。
【発明の詳細な説明】
【０００１】
【発明の属する技術分野】
本発明は、空気調和機の室外機に係わり、より詳細には、本体の上部から導入した接続配管をフレアナットで操作弁に接続する際、同操作弁を取り付けた操作弁取付具が撓まないよう強度を増強できるようにするとともに、同操作弁取付具を保持板に容易に取り付けることができ、また、同操作弁取付具から底板に向けて結露水を円滑に導けるようにした構造に関する。
【０００２】
【従来の技術】
従来の空気調和機の室外機は、例えば図４および図５で示すように、底板１上の前面側略中央に載置され、圧縮機カバー2aで覆われた圧縮機２と、同圧縮機２の背面側と両側とにわたって設けられ、略凹状に折曲形成された熱交換器３と、同熱交換器３の背面部に対向して設けられた送風機４と、前記熱交換器３の両側に取り付けられた側板3aの上端に固定された板金製の保持板５上に保持され、電気部品を収容して上部が天井補強板６で覆われた電装部７と、同電装部７の一側の前記保持板５に取り付けられ、室内機側から導入された接続配管（図示せず）を接続するフレアナット8a' および8b' を備えた複数の操作弁8aおよび8bと、同操作弁8aおよび8bと前記電装部７の上部をカバーする合成樹脂製のトップカバー10と、前記底板１に被着され、フロントカバー11およびリヤカバー12からなる合成樹脂製の外胴とで構成されていた。
【０００３】
前記フロントカバー11および前記リヤカバー12の上部は、合成樹脂専用のねじによって相互に固定したり、または、前記フロントカバー11の上部を、前記保持板５に設けられたねじ孔5'を有する固定部にねじにより螺着して固定するようにした構成であった。
【０００４】
しかしながら、スパナ等の工具を使って前記フレアナット8a' および8b' を締め付けたり緩めたりする時、前記操作弁8aおよび8bに強い力が加わって前記保持板５が撓んでしまったり、または、前記ねじ孔5'を有する固定部が邪魔になってスパナ等の工具が使いにくくなるため作業性が悪くなったり、更に、前記保持板５のサブ加工単体が大きくなってしまうため組立の作業性が悪いという問題を有していた。
【０００５】
【発明が解決しようとする課題】
本発明は、上記の問題点に鑑み、本体の上部から導入した接続配管をフレアナットで操作弁に接続する際、同操作弁を取り付けた操作弁取付具が撓まないよう強度を増強できるようにするとともに、同操作弁取付具を保持板に容易に取り付けることができ、また、同操作弁取付具から底板に向けて結露水を円滑に導けるようにした空気調和機の室外機を提供することを目的とする。
【０００６】
【課題を解決するための手段】
本発明は上記課題を解決するため、底板上の前面側略中央に載置され、圧縮機カバーで覆われた圧縮機と、同圧縮機の背面側と両側とにわたって設けられ、略凹状に折曲形成された熱交換器と、同熱交換器の背面部に対向して設けられた送風機と、前記熱交換器の両側に取り付けられた側板の上端に固定された板金製の保持板上に保持され、電気部品を収容して上部が天井補強板で覆われた電装部と、同電装部の一側の前記保持板に板金製の操作弁取付具に固定されて取り付けられ、室内機側から導入された接続配管を接続するフレアナットを備えて前後に離間した複数の操作弁と、同操作弁および前記電装部の上部をカバーする合成樹脂製のトップカバーと、前記底板に被着され、フロントカバーおよびリヤカバーで構成される合成樹脂製の外胴とからなり、
前記操作弁取付具を前記保持板に取り付ける取付部が、これら操作弁取付具と保持板とに設けられた位置決め手段および取付手段からなり、前記操作弁取付具の一側に複数のねじ孔を備えた固定用フランジを垂下し、同固定用フランジのねじ孔に対応して、前記フロントカバーおよびリヤカバーに固定用挿通孔を設け、前記位置決め手段により位置決めした前記操作弁取付具を前記取付手段により前記保持板に取り付けるとともに、前記固定用挿通孔を挿通したねじにより、前記ねじ孔に螺着して前記操作弁取付具の一側を前記フロントカバーおよびリヤカバーで固定するようにした構成となっている。
【０００７】
また、前記位置決め手段が、前記保持板に設けられた複数の係合部と、同係合部に対応する前記操作弁取付具の周縁部とで構成されてなり、同操作弁取付具の周縁部を前記係合部に係合して前記操作弁取付具を前記保持板に位置決めするようにした構成となっている。
【０００８】
また、前記係合部が、切り起こしにより前記保持板と一体成形された略Ｌ字状断面形状の切起し片からなる構成となっている。
【０００９】
また、前記切起し片を、前記操作弁取付具の後端部に対応して、前方および両側を解放して形成した構成となっている。
【００１０】
また、前記切起し片を、前方を解放して略三角状の平面形状に形成した構成となっている。
【００１１】
前記切起し片を、前方および内方を解放して略矩形状の平面形状に形成した構成となっている。
【００１２】
また、前記取付手段が、前記保持板に設けられた複数のねじ孔と、同ねじ孔に対応して前記操作弁取付具に設けられた挿通孔とからなり、同挿通孔を挿通したねじを前記ねじ孔に螺着して、前記位置決め手段により位置決めされた前記操作弁取付具を前記保持板に取り付けるようにした構成となっている。
【００１３】
また、前記ねじ孔に、下方に突出する突部を設けた構成となっている。
【００１４】
また、前記操作弁取付具に、前後に離間した前記操作弁のフレアナットに対向して、上部および一側を解放した略凹状断面でなる複数の凹部を設けた構成となっている。
【００１５】
また、前記凹部を、絞り加工により前記操作弁取付具と一体成形した構成となっている。
【００１６】
また、前記凹部の底面を、前記熱交換器の上端部よりも低く形成した構成となっている。
【００１７】
また、前記凹部は、後部に比して前部の底面を低く形成した構成となっている。
【００１８】
また、前記凹部の底面に、透孔を設けた構成となっている。
【００１９】
また、前記操作弁取付具の周縁部に、前記切起し片によって前記保持板に形成される切起し穴および、または前記凹部に連なる溝部を設けた構成となっている。
【００２０】
更に、前記溝部を、絞り加工により前記操作弁取付具と一体的に形成した構成となっている。
【００２１】
【発明の実施の形態】
以下、図面に基づいて本発明による実施例を詳細に説明する。
図１と、図２（Ａ）乃至図２（Ｄ）と、図３（Ａ）乃至図３（Ｃ）とにおいて、１は底板、２は同底板１上の前面側略中央に圧縮機カバー2aで覆われて載置された圧縮機、３は同圧縮機２の背面側と両側とにわたって略凹状に折曲形成された熱交換器、４は同熱交換器３の背面部に対向して設けられた送風機、７は前記熱交換器３の両端に取り付けられた側板3aの上端に固定された板金製の保持板５上に保持され、内部に電装品を収容して上部が天井補強板６で覆われた電装部、8aおよび8bは同電装部７の一側の前記保持板５に板金製の操作弁取付具９に固定されて取り付けられ、室内機側から導入された接続配管（図示せず）を接続するフレアナット8a' および8b' を備えて前後に離間した複数の操作弁、10は同操作弁8aおよび8bと前記天井補強板６でカバーされた前記電装部７の上部を覆う合成樹脂製のトップカバー、11は前記底板１に被着されるフロントカバー、12はリヤカバーで、これらフロントカバー11およびリヤカバー12により外胴が構成されている。
【００２２】
前記操作弁取付具９を前記保持板５に取り付けるための取付部が、これら操作弁取付具９と保持板５とに設けられた後述する位置決め手段および後述する取付手段からなり、前記操作弁取付具９の一側に複数のねじ孔9bを備えた固定用フランジを垂下し、同固定用フランジのねじ孔9bに対応して、前記フロントカバー11およびリヤカバー12に固定用挿通孔を設け、後述する位置決め手段により位置決めした前記操作弁取付具９を後述する取付手段により前記保持板５に取り付けるとともに、前記固定用挿通孔を挿通したねじにより、前記ねじ孔9bに螺着して前記操作弁取付具９の一側を前記フロントカバー11およびリヤカバー12で固定するようにした構成となっており、
これによって、前記操作弁取付具９を前記保持板５に容易に、且つ正確に取り付けることができるようになるとともに、スパナ等の工具を使って前記フレアナット8a' および8b' を締め付けたり緩めたりする時、前記操作弁8aおよび8bに強い力が加わったとしても、前記操作弁取付具９および前記保持板５が二重構造になり強度が増強されるため前記操作弁取付具９が撓んでしまわないようになり、また、前記ねじ孔9bを備えた固定用フランジは、スパナ等の工具が邪魔になりにくいように垂下したので、作業性を向上できるようにした構造となる。
【００２３】
また、前記操作弁取付具９を前記保持板５に位置決めするための位置決め手段が、前記保持板５に設けられた後述する複数の係合部と、同係合部に対応する前記操作弁取付具９の周縁部とで構成されてなり、同操作弁取付具９の周縁部を後述する係合部に係合して前記操作弁取付具９を前記保持板５に位置決めするようにした構成となっており、
これによって、前記操作弁取付具９を容易に位置決めしたのちに、前記保持板５に取り付けることができるようにした構造となる。
【００２４】
また、前記操作弁取付具９の周縁部に対応して前記保持板５に設けられた係合部が、切り起こしにより前記保持板５と一体成形された略Ｌ字状断面形状の切起し片ａからなる構成となっており、
これによって、前記切起し片ａの寸法形状が正確に仕上げられるとともにコスト的に有利な構造となり、前記操作弁取付具９の周縁部を正確に係合させることができるようにした構造となる。
【００２５】
また、前記切起し片ａを、第一の例として図３（Ａ）で示すように、破線で示す前記操作弁取付具９の後端部に対応して、前方および両側を解放して形成したことにより、前記操作弁取付具９の後端部を係合させて正確に保持し位置決めできるようにした構成となっている。
【００２６】
また、少なくとも前方を解放して形成した前記切起し片ａを、第二の例として図３（Ｂ）で示すように、略三角状の平面形状に形成したことにより、前記操作弁取付具９の後部両側の角部を係合させて正確に保持し位置決めできるようにした構成となっている。
【００２７】
また、少なくとも前方を解放して形成した前記切起し片を、第三の例として図３（Ｃ）で示すように、略矩形状の平面形状により内方も解放して形成したことにより、上記に説明したのと同様に、前記操作弁取付具９の後部両側の角部を係合させて正確に保持し位置決めできるようにした構成となっている。
【００２８】
また、前記取付手段が、前記保持板５に設けられた複数のねじ孔9bと、同ねじ孔9bに対応して前記操作弁取付具９に設けられた挿通孔とからなり、同挿通孔を挿通したねじを前記ねじ孔9bに螺着して、上記に説明した位置決め手段により位置決めされた前記操作弁取付具９を前記保持板５に取り付けるようにした構成となっており、
これによって、前記操作弁取付具９を簡便に、且つ正確に前記保持板５に取り付けることができるようにした構造となる。
【００２９】
また、前記ねじ孔9bに、図２（Ｃ）で示すように、下方に突出する突部ｃを設けたことにより、前記ねじ孔9bの強度を効果的に増強できるようにした構成となっている。
【００３０】
また、前記操作弁取付具９に、前後に離間した前記操作弁8aおよび8bのフレアナット8a' および8b' に対向して、上部および一側を解放した略凹状断面でなる複数の凹部9aを設けた構成となっており、
これによって、スパナ等の工具の可動範囲を拡げることができるため、該工具を使いやすくなって作業性をより向上できるようにした構造となる。
【００３１】
また、前記凹部9aを、絞り加工によって前記操作弁取付具９と一体成形することにより、寸法形状が正確に仕上げられるとともに、コスト的に有利な構成となる。
【００３２】
また、前記凹部9aの底面を、図２（Ｂ）で示すように、前記熱交換器３の上端部よりも低く形成したことにより、スパナ等の工具の可動範囲をより拡大して作業性を更に向上できるようにした構成となっている。
【００３３】
また、前記凹部9aは、図２（Ｂ）で示すように、後部に比して前部の底面を低く形成したことにより、前部の前記操作弁8aを低く取付できるようになるため、該操作弁8aの上部に対応する前記フロントカバー11に、傾斜部や曲面部などを形成して天井面を低くデザインできるようにした構成となっている。
【００３４】
また、前記凹部9aの底面に、図２（Ａ）および図２（Ｂ）で示すように、透孔ｄを設けたことによって、前記操作弁8aおよび8bに発生した結露水を前記底板１に向けて効果的に滴下できるようにした構成となっている。
【００３５】
また、前記操作弁取付具９の周縁部に、図２（Ｄ）で示すように、前記切起し片ａによって前記保持板５に形成される切起し穴a'および、または前記凹部9aに連なる溝部ｅを設けた構成となっており、
これによって、前記操作弁8aおよび8bに発生した結露水を、前記溝部ｅから前記切起し穴a'および、または前記凹部9aに導びいて、前記底板１に向けてより効果的に滴下できるようにした構造となる。
【００３６】
更に、前記溝部ｅを、絞り加工により前記操作弁取付具９と一体的に形成したことにより、寸法形状が正確に仕上げられるとともにコスト的に有利な構成となっている。
【００３７】
以上の構成により、図１と、図２（Ａ）乃至図２（Ｄ）と、図３（Ａ）乃至図３（Ｃ）とで示すように、前記操作弁取付具９を前記保持板５に取り付けるための取付部が、これら操作弁取付具９と保持板５とに設けられた前記位置決め手段および前記取付手段からなり、前記操作弁取付具９の一側に複数のねじ孔9bを備えた固定用フランジを垂下し、同固定用フランジのねじ孔9bに対応して、前記フロントカバー11およびリヤカバー12に固定用挿通孔を設け、前記位置決め手段により位置決めした前記操作弁取付具９を前記取付手段により前記保持板５に取り付けるとともに、前記固定用挿通孔を挿通したねじにより、前記ねじ孔9bに螺着して前記操作弁取付具９の一側を前記フロントカバー11およびリヤカバー12で固定するようにしたので、
前記操作弁取付具９を前記保持板５に容易に、且つ正確に取り付けることができるようになるとともに、スパナ等の工具を使って前記フレアナット8a' および8b' を締め付けたり緩めたりする時、前記操作弁8aおよび8bに強い力が加わったとしても、前記操作弁取付具９および前記保持板５が二重構造になり強度が増強されるため前記操作弁取付具９が撓んでしまわないようになり、また、前記ねじ孔9bを備えた固定用フランジは、スパナ等の工具が邪魔になりにくいように垂下したので、作業性を向上できるようにした空気調和機の室外機となる。
【００３８】
【発明の効果】
以上のように本発明によると、本体の上部から導入した接続配管をフレアナットで操作弁に接続する際、同操作弁を取り付けた操作弁取付具が撓まないよう強度を増強できるようにするとともに、同操作弁取付具を保持板に容易に取り付けることができ、また、同操作弁取付具から底板に向けて結露水を円滑に導けるようにした空気調和機の室外機となる。
【図面の簡単な説明】
【図１】本発明による空気調和機の室外機の分解斜視図である。
【図２】本発明による空気調和機の室外機の要部説明図で、（Ａ）は平面図であり、（Ｂ）は斜視図であり、（Ｃ）は断面図であり、（Ｄ）は（Ｂ）で示すＡーＡ断面図である。
【図３】本発明による空気調和機の室外機の要部説明図で、（Ａ）は係合部の第一の例を示し、（Ｂ）は第二の例を示し、（Ｃ）は第三の例を示す。
【図４】従来例による空気調和機の室外機の分解斜視図である。
【図５】従来例による空気調和機の室外機の要部斜視図である。
【符号の説明】
１  底板
２  圧縮機
2a  圧縮機カバー
３  熱交換器
3a  側板
４  送風機
５  保持板
６  天井補強板
７  電装部
8a，8b  操作弁
8a' ，8b'   フレアナット
９  操作弁取付具
9a  凹部
9b  ねじ孔
10  トップカバー
11  フロントカバー
12  リヤカバー
ａ  係止部
ｂ  取付部
ｃ  突部
ｄ  透孔
ｅ  溝部
【図１】
0003807049.tif 000002
【図２】
0003807049.tif 000003
【図３】
0003807049.tif 000004
【図４】
0003807049.tif 000005
【図５】
0003807049.tif 000006